(57)【要約】【課題】ウィンドウ内での操作内容を確定させるための確定指示がなされた後であっても、容易に、操作内容を訂正できる情報表示装置を提供する。【解決手段】情報表示装置１００は、タッチパネルディスプレイ１１０を含む。この情報表示装置１００は、タッチパネルディスプレイ１１０の画面上にウィンドウ２００を表示し、ウィンドウ２００内において行なわれた操作の内容を確定させるユーザの確定指示を受付けると、ウィンドウ２００を段階的に消去する消去モーションを開始し、消去モーションの終了後にウィンドウ２００内において行なった当該操作の内容を確定する。情報表示装置１００はさらに、ウィンドウ２００の消去モーション中に、ユーザによって、ウィンドウ２００の表示位置にタッチがされたことを検出すると、ウィンドウ２００の消去モーションを中止してウィンドウ２００を復帰させる。【選択図】図６
2013156896.tif 000002
【特許請求の範囲】
【請求項１】
タッチパネルディスプレイと、
前記タッチパネルディスプレイの画面上に、ウィンドウを表示するためのウィンドウ表示手段と、
前記ウィンドウ内において行なわれた操作の内容を確定させるユーザの確定指示を受付けるための確定指示受付手段と、
前記確定指示受付手段がユーザによる当該確定指示を受付けたことに応答して、前記ウィンドウを段階的に消去する消去動作を行なうためのウィンドウ消去手段と、
前記ウィンドウ消去手段による前記ウィンドウの消去動作の終了後に、前記ウィンドウ内における当該操作の内容を確定させるための操作確定手段と、
前記ウィンドウ消去手段による前記ウィンドウの消去動作の途中に、前記ウィンドウの表示位置にタッチがされたことに応答して、前記ウィンドウ消去手段による前記ウィンドウの消去動作を中止させて、前記ウィンドウを復帰させるためのウィンドウ復帰手段と、
前記ウィンドウ復帰手段によって前記ウィンドウが復帰された後に、当該ウィンドウ内における操作を受付けるための操作受付手段とを含む、情報表示装置。
【請求項２】
前記ウィンドウ消去手段による前記ウィンドウの段階的な消去とともに、前記ウィンドウを移動させるためのウィンドウ移動手段をさらに含む、請求項１に記載の情報表示装置。
【請求項３】
前記ウィンドウ消去手段による前記ウィンドウの段階的な消去とともに、前記ウィンドウの大きさを段階的に変更するためのウィンドウサイズ変更手段をさらに含む、請求項１に記載の情報表示装置。
【請求項４】
前記ウィンドウ消去手段による前記ウィンドウの消去動作の途中に、当該ウィンドウをスライドさせる動作が行なわれたことに応答して、前記ウィンドウ消去手段による当該ウィンドウの消去動作を促進させ、前記ウィンドウ内における当該操作の内容を確定させるまでの時間を短縮するための確定時間短縮手段をさらに含む、請求項１に記載の情報表示装置。
【請求項５】
前記ウィンドウ内における当該操作の内容の確定後に、確定された操作内容を記憶するための記憶手段をさらに含む、請求項１〜請求項４のいずれかに記載の情報処理装置。
【請求項６】
操作を行なうためのウィンドウをタッチパネルディスプレイの画面上に表示する情報表示方法であって、
前記タッチパネルディスプレイの画面上に、ウィンドウを表示するウィンドウ表示ステップと、
前記ウィンドウ内において行なわれた操作の内容を確定させるユーザの確定指示を受付ける確定指示受付ステップと、
前記確定指示受付ステップにおいてユーザによる当該確定指示が受付けられたことに応答して、前記ウィンドウを段階的に消去する消去動作を行なうウィンドウ消去ステップと、
前記ウィンドウ消去ステップによる前記ウィンドウの消去動作の終了後に、前記ウィンドウ内における当該操作の内容を確定させる操作確定ステップと、
前記ウィンドウ消去ステップによる前記ウィンドウの消去動作の途中に、前記ウィンドウの表示位置にタッチがされたことに応答して、前記ウィンドウの消去動作を中止し、前記ウィンドウを復帰させるウィンドウ復帰ステップと、
前記ウィンドウ復帰ステップによって前記ウィンドウが復帰された後に、当該ウィンドウ内における操作を受付ける操作受付ステップとを含む、情報表示方法。
【請求項７】
前記ウィンドウ消去ステップによる前記ウィンドウの段階的な消去とともに、前記ウィンドウを移動するウィンドウ移動ステップをさらに含む、請求項６に記載の情報表示方法。
【請求項８】
前記ウィンドウ消去ステップによる前記ウィンドウの段階的な消去とともに、前記ウィンドウの大きさを段階的に変更するウィンドウサイズ変更ステップをさらに含む、請求項６に記載の情報表示方法。
【請求項９】
前記ウィンドウ消去ステップによる前記ウィンドウの消去動作の途中に、当該ウィンドウをスライドさせる動作が行なわれたことに応答して、当該ウィンドウの消去動作を促進させ、前記ウィンドウ内における当該操作の内容を確定させるまでの時間を短縮する確定時間短縮ステップをさらに含む、請求項６に記載の情報表示方法。
【発明の詳細な説明】
【技術分野】
【０００１】
本発明は、情報表示装置及び情報表示方法に関し、特に、タッチパネルディスプレイを備えた情報表示装置及びタッチパネルディスプレイを用いた情報表示方法に関する。
【背景技術】
【０００２】
情報を表示するための表示部を含む情報表示装置が広く普及している。情報表示装置は、例えば、表示部の画面上に動画及び静止画等を表示してユーザに鑑賞させる用途に用いられる。情報表示装置はさらに、例えば、電子機器に設けられて、その電子機器の操作情報等を表示部に表示し、電子機器の操作等を行ないやすくするためにも用いられる。
【０００３】
このような情報表示装置においては、画面上にウィンドウを表示して、そのウィンドウ内で種々の操作を行なう場合がある。例えば、機器等の設定を行なう場合、設定を行なうためのウィンドウを画面上に表示して、そのウィンドウ内において、各種設定が行なわれる。
【０００４】
従来の情報表示装置では、ウィンドウ内において設定した項目は、ユーザが確定操作（確定指示）を行なうことによって即座に確定（設定）され、同時にウィンドウが閉じて設定操作が終了する。そのため、確定操作を行なった直後に、ユーザが設定した項目に間違いがあることに気付いたとしても、設定した項目は既に確定されているため、設定のための操作をキャンセルすることができなかった。設定された項目（内容）を訂正するには、別途訂正のためのモードに移行して訂正を行なう必要があった。例えば、設定を行なうためのウィンドウを再度画面上に表示して、正しい内容に設定し直す必要があった。このように、従来の情報表示装置は、確定操作後に、設定内容に間違いがあることに気付いた場合、設定内容を訂正するための操作が煩雑であるという不都合があった。このような不都合は、タッチパネルディスプレイを備えた情報表示装置においても同様に生じていた。
【０００５】
後掲の特許文献１は、確定操作を行なう前に入力した内容をユーザに確認させることで、上記不都合を解消することが可能な情報表示装置を提案している。特許文献１の情報表示装置は、画面上にフォーム（ウィンドウ）を表示させて、そのフォーム内に入力した内容を送信ボタンの操作により送信する際に、送信ボタン上にカーソルが移動されると、フォーム内に入力した内容が表示されたウィンドウを表示する。特許文献１では、ユーザは、入力した内容を送信する前（送信ボタンの操作前）に、確認用のページ等に移行することなくフォーム内に入力した内容を確認できる。そのため、入力した内容に間違いがあることに気付いた場合でも、容易に、入力内容を訂正できる。
【先行技術文献】
【特許文献】
【０００６】
【特許文献１】特開２００２−２１５５８０号公報
【発明の概要】
【発明が解決しようとする課題】
【０００７】
しかし、特許文献１の情報表示装置は、ユーザによる確定操作（送信ボタンの操作）前に入力した内容を確認できるものの、確定操作の後に入力した内容に間違いがあることに気付いた場合、入力した内容を訂正するためには煩雑な操作が必要となる。
【０００８】
このように、特許文献１の情報表示装置は、ウィンドウ内において行なった操作内容を確定させるために、ユーザが確定操作（確定指示）を行なった場合、その後に、その内容を容易に訂正することが困難であるという問題がある。
【０００９】
この発明は、上記のような課題を解決するためになされたものであり、この発明の１つの目的は、ウィンドウ内での操作内容を確定させるための確定指示がなされた後であっても、容易に、操作内容を訂正できる情報表示装置及び情報表示方法を提供することである。
【課題を解決するための手段】
【００１０】
上記目的を達成するために、本発明の第１の局面に係る情報表示装置は、タッチパネルディスプレイと、タッチパネルディスプレイの画面上に、ウィンドウを表示するためのウィンドウ表示手段と、ウィンドウ内において行なわれた操作の内容を確定させるユーザの確定指示を受付けるための確定指示受付手段と、確定指示受付手段がユーザによる当該確定指示を受付けたことに応答して、ウィンドウを段階的に消去する消去動作を行なうためのウィンドウ消去手段と、ウィンドウ消去手段によるウィンドウの消去動作の終了後に、ウィンドウ内における当該操作の内容を確定させるための操作確定手段と、ウィンドウ消去手段によるウィンドウの消去動作の途中に、ウィンドウの表示位置にタッチがされたことに応答して、ウィンドウ消去手段によるウィンドウの消去動作を中止させて、ウィンドウを復帰させるためのウィンドウ復帰手段と、ウィンドウ復帰手段によってウィンドウが復帰された後に、当該ウィンドウ内における操作を受付けるための操作受付手段とを含む。
【００１１】
タッチパネルディスプレイの画面上にウィンドウを表示し、そのウィンドウ内において行なわれた操作の内容を確定させるユーザの確定指示を受付けると、情報表示装置は、ウィンドウを段階的に消去する。ウィンドウの消去動作が終了すると、情報表示装置は、ウィンドウ内において行なわれた操作の内容を確定する。ウィンドウの消去動作が終了するまでの所定の時間内に、操作した内容が確認できるように、ウィンドウが段階的に消去するため、この間に、ユーザはウィンドウ内を目視することによって、ウィンドウ内において行なった操作の内容を確認できる。確定指示を行なった後に、ウィンドウ内において行なった操作の内容に間違いがあることに気付いた場合、ウィンドウの消去動作の途中（消去動作が終了するまでの間）に、ユーザがウィンドウの表示位置にタッチすると、情報表示装置は、ウィンドウの消去動作を中止させて、ウィンドウを復帰させる。ウィンドウが復帰すると、ウィンドウ内における操作が受付けられる状態となるため、ユーザは、容易に、ウィンドウ内において行なった操作の内容を訂正できる。操作の内容は、その操作が設定操作の場合、設定内容を含む。
【００１２】
好ましくは、情報表示装置は、ウィンドウ消去手段によるウィンドウの段階的な消去とともに、ウィンドウを移動させるためのウィンドウ移動手段をさらに含む。
【００１３】
ウィンドウの消去動作とともに、ウィンドウを移動させることによって、ウィンドウ内において行なわれた操作が確定するまでの時間を、ユーザに視覚的に認識させることが容易にできる。ユーザは、操作の内容を訂正できる時間的リミットを視覚的に認識できるため、確定指示を行なった後であっても、より容易に、操作の内容を訂正できる。
【００１４】
より好ましくは、情報表示装置は、ウィンドウ消去手段によるウィンドウの段階的な消去とともに、ウィンドウの大きさを段階的に変更するためのウィンドウサイズ変更手段をさらに含む。
【００１５】
ウィンドウの消去動作とともに、ウィンドウの大きさを段階的に変更することによって、ウィンドウ内において行なわれた操作が確定するまでの時間を、ユーザに視覚的に認識させることがより容易にできる。ユーザは、操作の内容を訂正できる時間的リミットを視覚的に認識できるため、確定指示を行なった後であっても、さらに容易に、操作の内容を訂正できる。
【００１６】
さらに好ましくは、情報表示装置は、ウィンドウ消去手段によるウィンドウの消去動作の途中に、当該ウィンドウをスライドさせる動作が行なわれたことに応答して、ウィンドウ消去手段による当該ウィンドウの消去動作を促進させ、ウィンドウ内における当該操作の内容を確定させるまでの時間を短縮するための確定時間短縮手段をさらに含む。
【００１７】
ユーザによる確定指示を受付けると、情報表示装置は、ウィンドウを段階的に消去する消去動作を開始し、ウィンドウの消去動作が終了すると、ウィンドウ内において行なわれた操作の内容を確定させる。ウィンドウの消去動作の途中に、ユーザによって、当該ウィンドウをスライドさせる動作（例えばフリック操作）が行なわれると、当該ウィンドウの消去動作を促進させて、ウィンドウ内における当該操作の内容が確定するまでの時間を短縮させる。これにより、ウィンドウ内において行なった操作の内容に間違いがない場合は、すぐに、ウィンドウ内において行なった操作の内容を確定できる。
【００１８】
さらに好ましくは、情報表示装置は、ウィンドウ内における当該操作の内容の確定後に、確定された操作内容を記憶するための記憶手段をさらに含む。これにより、確定された操作の内容を保持できる。
【００１９】
本発明の第２の局面に係る情報表示方法は、操作を行なうためのウィンドウをタッチパネルディスプレイの画面上に表示する情報表示方法であって、タッチパネルディスプレイの画面上に、ウィンドウを表示するウィンドウ表示ステップと、ウィンドウ内において行なわれた操作の内容を確定させるユーザの確定指示を受付ける確定指示受付ステップと、確定指示受付ステップにおいてユーザによる当該確定指示が受付けられたことに応答して、ウィンドウを段階的に消去する消去動作を行なうウィンドウ消去ステップと、ウィンドウ消去ステップによるウィンドウの消去動作の終了後に、ウィンドウ内における当該操作の内容を確定させる操作確定ステップと、ウィンドウ消去ステップによるウィンドウの消去動作の途中に、ウィンドウの表示位置にタッチがされたことに応答して、ウィンドウの消去動作を中止し、ウィンドウを復帰させるウィンドウ復帰ステップと、ウィンドウ復帰ステップによってウィンドウが復帰された後に、当該ウィンドウ内における操作を受付ける操作受付ステップとを含む。
【００２０】
タッチパネルディスプレイの画面上にウィンドウを表示し、そのウィンドウ内において行なわれた操作の内容を確定させるユーザの確定指示を受付けると、ウィンドウを段階的に消去させる消去動作を開始する。ウィンドウの消去動作が終了すると、ウィンドウ内において行なわれた操作の内容を確定させる。ウィンドウの消去動作が終了するまでの所定の時間内に、操作した内容が確認できるように、ウィンドウが段階的に消去するため、この間に、ユーザはウィンドウ内を目視することによって、ウィンドウ内において行なった操作の内容を確認できる。確定指示を行なった後に、ウィンドウ内において行なった操作の内容に間違いがあることに気付いた場合、ウィンドウの消去動作の途中（消去動作が終了するまでの間）に、ユーザがウィンドウの表示位置にタッチすると、情報表示装置は、ウィンドウの消去動作を中止させて、ウィンドウを復帰させる。ウィンドウが復帰すると、ウィンドウ内における操作が受付けられる状態となるため、ユーザは、容易に、ウィンドウ内において行なった操作の内容を訂正できる。
【００２１】
好ましくは、情報表示方法は、ウィンドウ消去ステップによるウィンドウの段階的な消去とともに、ウィンドウを移動するウィンドウ移動ステップをさらに含む。
【００２２】
ウィンドウの消去動作とともに、ウィンドウを移動させることによって、ウィンドウ内において行なわれた操作が確定するまでの時間を、ユーザに視覚的に認識させることが容易にできる。ユーザは、操作の内容を訂正できる時間的リミットを視覚的に認識できるため、確定指示を行なった後であっても、より容易に、操作の内容を訂正できる。
【００２３】
より好ましくは、情報表示方法は、ウィンドウ消去ステップによるウィンドウの段階的な消去とともに、ウィンドウの大きさを段階的に変更するウィンドウサイズ変更ステップをさらに含む。
【００２４】
ウィンドウの消去動作とともに、ウィンドウの大きさを段階的に変更することによって、ウィンドウ内において行なわれた操作が確定するまでの時間を、ユーザに視覚的に認識させることがより容易にできる。ユーザは、操作の内容を訂正できる時間的リミットを視覚的に認識できるため、確定指示を行なった後であっても、さらに容易に、操作の内容を訂正できる。
【００２５】
さらに好ましくは、情報表示方法は、ウィンドウ消去ステップによるウィンドウの消去動作の途中に、当該ウィンドウをスライドさせる動作が行なわれたことに応答して、当該ウィンドウの消去動作を促進させ、ウィンドウ内における当該操作の内容を確定させるまでの時間を短縮する確定時間短縮ステップをさらに含む。
【００２６】
ユーザによる確定指示を受付けると、ウィンドウを段階的に消去する消去動作を開始し、ウィンドウの消去動作が終了すると、ウィンドウ内において行なわれた操作の内容を確定させる。ウィンドウの消去動作の途中に、ユーザによって、当該ウィンドウをスライドさせる動作（例えばフリック操作）が行なわれると、当該ウィンドウの消去動作を促進させて、ウィンドウ内における当該操作の内容が確定するまでの時間を短縮させる。これにより、ウィンドウ内において行なった操作の内容に間違いがない場合は、すぐに、ウィンドウ内において行なった操作の内容を確定できる。
【発明の効果】
【００２７】
以上より、本発明によれば、ウィンドウ内での操作内容を確定させるための確定指示がなされた後であっても、容易に、操作内容を訂正できる情報表示装置及び情報表示方法を容易に得ることができる。
【図面の簡単な説明】
【００２８】
【図１】本発明の一実施の形態に係る情報表示装置のハードウェア構成を示す制御ブロック図である。
【図２】図１に示す情報表示装置で実行されるプログラムの制御構造を示すフローチャートである。
【図３】図１に示す情報表示装置で実行されるプログラムの制御構造を示すフローチャートである。
【図４】図１に示す情報表示装置の画面上に表示されるウィンドウの一例を示す図である。
【図５】図１に示す情報表示装置の画面上に表示されるウィンドウの消去動作を示す図である。
【図６】図１に示す情報表示装置の画面上に表示されるウィンドウの復帰動作を示す図である。
【図７】図１に示す情報表示装置の画面上に表示されるウィンドウをフリック操作によって消去する動作を示す図である。
【図８】図１に示す情報表示装置によって実行されるウィンドウ内において行なった操作の内容を確定する処理の状態遷移図である。
【図９】情報表示装置の画面上に表示されるウィンドウの他の例を示す図である。
【発明を実施するための形態】
【００２９】
以下の実施の形態では、同一の部品には同一の参照番号を付してある。それらの機能及び名称も同一である。したがって、それらについての詳細な説明は繰返さない。
【００３０】
図１を参照して、本実施の形態に係る情報表示装置１００は、タッチパネルディスプレイ１１０を含む。この情報表示装置１００は、画面上に、設定操作等の各種操作を行なうためのウィンドウを含む種々の画像情報を表示する。表示されたウィンドウにおいて、ユーザによる操作が終了すると、ユーザは、その操作内容を確定するために確定指示（確定操作）を行なう。ユーザによって確定指示がなされると、情報表示装置１００は、ウィンドウを段階的に（徐々に）消去させる消去動作を開始させ、消去動作が終了したタイミングで、操作内容を確定させる。ウィンドウの消去動作の途中で、ユーザがウィンドウの表示位置にタッチすると、情報表示装置１００は、ウィンドウの消去動作を中止させて、ウィンドウを復帰させる。
【００３１】
［ハードウェア構成］
本実施の形態に係る情報表示装置１００は、表示機能及び入力機能を有するタッチパネルディスプレイ１１０、情報表示装置としての一般的機能を実現するための制御部１２０、及び、各種情報を記憶する記憶部１３０を含む。
【００３２】
タッチパネルディスプレイ１１０は、液晶表示パネルからなる表示部１１２と、タッチパネル部１１４とが重ねて構成されるタッチパネル一体型液晶表示装置である。このタッチパネルディスプレイ１１０は、ユーザに対して対話的な操作インターフェイスを提供する。表示部１１２は、動画及び静止画等の画像情報、並びに、アプリケーションによる情報等の各種情報を表示してユーザに提供する。表示部１１２はまた、設定操作等の各種操作を行なうためのウィンドウを画面上に表示する。タッチパネル部１１４は、指等が触れた画面位置（座標）の情報を検出して、制御部１２０に情報信号を出力する。タッチパネル部１１４は、透明なシート状のパネルであり、表示部１１２に表示される画像等の情報を透過する。そのため、タッチパネル部１１４を、表示部１１２上に重ねて配置した場合でも、タッチパネル部１１４を介して、表示部１１２に表示される画像等の情報を見ることができる。
【００３３】
制御部１２０は、タッチパネルディスプレイ１１０及び記憶部１３０と接続されており、情報表示装置１００の全体の制御を司る。制御部１２０はまた、情報表示装置１００において、タッチパネルディスプレイ１１０における表示処理及び入力処理、並びに、アプリケーションによる処理等を実現する。制御部１２０は、所定のプログラムを実行することにより、上述した機能を実現する、図示しないＣＰＵ（Ｃｅｎｔｒａｌ  Ｐｒｏｃｅｓｓｉｎｇ  Ｕｎｉｔ）を含む。制御部１２０はさらに、図示しない、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を含む。
【００３４】
制御部１２０はさらに、タッチパネル部１１４へのタッチ入力位置を検出する画面タッチ検出部１２２、画面タッチ検出部１２２によって検出した入力がフリック操作であるか否かを判定するジェスチャー判定部１２４、表示したウィンドウを画面内で移動させる際に、次にウィンドウを表示する位置を算出する表示位置算出部１２６、ウィンドウの大きさを縮小又は拡大して表示する際に、ウィンドウのサイズを算出するウィンドウサイズ算出部１２８を含む。フリック操作とは、画面に触れた指等を軽くはらうように少しだけスライドさせる操作である。ジェスチャー判定部１２４は、タッチ入力中のタッチ座標の変化によって、画面タッチ検出部１２２によって検出した入力がフリック操作であるか否かを判定する。
【００３５】
記憶部１３０は、情報表示装置１００の一般的な動作を実現するためのコンピュータプログラムを記憶する。記憶部１３０は、他に、画像データ等を含む各種データ、及び、一般的なアプリケーション等を記憶する。記憶部１３０はさらに、ウィンドウを表示する際に必要となる各種情報を記憶するウィンドウ表示情報記憶部１３２、及び、ウィンドウ内において操作した設定内容等を記憶するための設定内容記憶部１３４を含む。ウィンドウ表示情報記憶部１３２は、ウィンドウのラジオボタン情報を記憶するラジオボタン情報記憶部１３２ａ、ウィンドウの大きさを変更する際のウィンドウの表示サイズ情報を記憶する表示サイズ情報記憶部１３２ｂ、及び、ウィンドウを移動させる際のウィンドウの表示位置情報を記憶する表示位置情報記憶部１３２ｃを含む。設定内容記憶部１３４は、ウィンドウ内のラジオボタンにて設定されたカラーモードを記憶するカラーモード情報記憶部１３４ａを含む。
【００３６】
情報表示装置１００は、ユーザによってウィンドウの表示指示がなされると、タッチパネルディスプレイ１１０の画面上に、ウィンドウを表示する。図４を参照して、タッチパネルディスプレイ１１０の画面上には、例えば、カラーモードの設定を変更するためのカラーモード設定ウィンドウ２００が表示される。カラーモード設定ウィンドウ２００は、カラーモードをフルカラーに設定するためのラジオボタン２０２及びカラーモードをモノクロに設定するためのラジオボタン２０４を含む。カラーモード設定ウィンドウ２００はさらに、ウィンドウを閉じるためのクローズボタンである「×」ボタン２０６を含む。「×」ボタン２０６は、設定を確定させるための指示ボタンである確定指示ボタンを兼ねる。
【００３７】
本実施の形態では、ウィンドウの「×」ボタン２０６が操作されると、瞬時にウィンドウが閉じる（消去する）のではなく、所定の時間をかけて、ウィンドウが段階的に消去する（閉じる）。ウィンドウが消去するまでの所定の時間は任意に設定される。
【００３８】
［ソフトウェア構成］
図２及び図３を参照して、ウィンドウ内において行なった操作の内容を確定する操作内容確定処理を行なうために、情報表示装置１００で実行されるコンピュータプログラムの制御構造について説明する。以下では、画面上に表示するウィンドウの一例として、カラーモードの設定を変更するためのカラーモード設定ウィンドウを考える。
【００３９】
図２を参照して、このプログラムは、ユーザによるウィンドウの表示指示を受付けると起動する。このプログラムは、ユーザによるウィンドウの表示指示に応答してカラーモード設定ウィンドウ２００を画面上に表示するステップＳ１０００と、ステップＳ１０００の後、カラーモード設定ウィンドウ２００のラジオボタンがユーザによって操作されたか否かを判定し、判定結果に応じて制御の流れを分岐させるステップＳ１０１０と、ステップＳ１０１０において、ラジオボタンの操作がされたと判定された場合に、ラジオボタンの表示を更新して、制御をステップＳ１０１０に戻すステップＳ１０２０と、ステップＳ１０１０において、ラジオボタンの操作がされていないと判定された場合に、カラーモード設定ウィンドウ２００の「×」ボタン２０６が操作されたか否かを判定し、判定結果に応じて制御の流れを分岐させるステップＳ１０３０とを含む。ステップＳ１０３０において、カラーモード設定ウィンドウ２００の「×」ボタン２０６が操作されていないと判定された場合は、制御がステップＳ１０１０に戻る。
【００４０】
図２及び図３を参照して、このプログラムはさらに、ステップＳ１０３０において、カラーモード設定ウィンドウ２００の「×」ボタン２０６が操作されたと判定された場合に、カラーモード設定ウィンドウ２００を移動させるために、カラーモード設定ウィンドウ２００の次の表示位置を計算するステップＳ１０４０と、ステップＳ１０４０の後、ステップＳ１０４０で計算された表示位置に、一段縮小したウィンドウ表示を行なうステップＳ１０５０と、ステップＳ１０５０の後、カラーモード設定ウィンドウ２００が完全に消去したか否かを判定し、判定結果に応じて制御の流れを分岐させるステップＳ１０６０と、ステップＳ１０６０において、カラーモード設定ウィンドウ２００が完全に消去されていないと判定された場合に、カラーモード設定ウィンドウ２００の表示位置において、フリック操作がされたか否かを判定し、判定結果に応じて制御の流れを分岐させるステップＳ１０７０と、ステップＳ１０７０において、フリック操作がされていないと判定された場合に、カラーモード設定ウィンドウ２００の表示位置にタッチがされたか否かを判定し、判定結果に応じて制御の流れを分岐させるステップＳ１０８０とを含む。
【００４１】
ステップＳ１０３０において、カラーモード設定ウィンドウ２００の「×」ボタン２０６が操作されると、ウィンドウは所定の時間をかけて段階的に消去する。ステップＳ１０６０では、「×」ボタン２０６が操作された後、所定の時間が経過した場合は、ウィンドウが完全に消去したと判定し、所定の時間が経過していない場合は、ウィンドウが完全に消去していないと判定する。ステップＳ１０７０では、画面タッチ検出部１２２及びジェスチャー判定部１２４が、ユーザによる操作がフリック操作か否かを判定する。
【００４２】
図３を参照して、このプログラムは、ステップＳ１０７０において、フリック操作がされたと判定された場合に、カラーモード設定ウィンドウ２００を移動させるために、カラーモード設定ウィンドウ２００の次の表示位置を計算するステップＳ１０９０と、ステップＳ１０９０の後、ステップＳ１０９０で計算された表示位置にカラーモード設定ウィンドウ２００を表示するステップＳ１１００と、ステップＳ１１００の後、カラーモード設定ウィンドウ２００が完全に消去されたか否かを判定し、判定結果に応じて制御を分岐させるステップＳ１１１０とを含む。ステップＳ１１１０において、カラーモード設定ウィンドウ２００が完全に消去されていないと判定された場合は、制御はステップＳ１０９０に戻り、ステップＳ１０９０〜ステップＳ１１１０の制御を繰返す。
【００４３】
ステップＳ１０９０では、ステップＳ１０４０で計算される移動量よりも大きい移動量となるように表示位置を計算する。例えば、ステップＳ１０９０では、ステップＳ１０４０の移動量の２倍の移動量となるように表示位置を計算する。ステップＳ１０７０において、フリック操作がされたと判定された場合、カラーモード設定ウィンドウ２００が完全に消去するまでの時間が、フリック操作が検出されなかった場合に比べて短縮される。例えば、ステップＳ１０９０において、ウィンドウの移動量がステップＳ１０４０に対して約２倍になった場合、カラーモード設定ウィンドウ２００が完全に消去するまでの時間は、フリック操作が検出されなかった場合の例えば約半分に短縮される。
【００４４】
このプログラムはさらに、ステップＳ１０８０において、カラーモード設定ウィンドウ２００の表示位置にタッチがされたと判定された場合に、カラーモード設定ウィンドウ２００を元に戻すために、カラーモード設定ウィンドウ２００の次の表示位置を計算するステップＳ１１２０と、ステップＳ１１２０の後、ステップＳ１１２０で計算された表示位置に、一段拡大したウィンドウ表示を行なうステップＳ１１３０と、ステップＳ１１３０の後、カラーモード設定ウィンドウ２００が元の状態に戻ったか否かを判定し、判定結果に応じて制御の流れを分岐させるステップＳ１１４０と、ステップＳ１０６０において、カラーモード設定ウィンドウ２００が完全に消去されたと判定された場合、及び、ステップＳ１１１０において、カラーモード設定ウィンドウ２００が完全に消去されたと判定された場合に、ラジオボタンによる選択内容を確定して、カラーモード情報記憶部１３４ａに記憶し、このプログラムを終了するステップＳ１１５０とを含む。
【００４５】
ステップＳ１１２０では、ステップＳ１０４０で計算される移動量よりも大きい移動量となるように表示位置を計算する。ただし、移動方向は、ステップＳ１０４０とは逆向きとなる。
【００４６】
ステップＳ１１４０において、カラーモード設定ウィンドウ２００が元の状態に戻っていないと判定された場合、制御はステップＳ１１２０に戻り、ステップＳ１１２０〜ステップＳ１１４０の制御を繰返す。ステップＳ１１４０において、カラーモード設定ウィンドウ２００が元の状態に戻ったと判定された場合、制御は図２に示すステップＳ１０１０に戻る。ステップＳ１０８０において、カラーモード設定ウィンドウ２００の表示位置にタッチがされていないと判定された場合、制御は図２に示すステップＳ１０４０に戻る。
【００４７】
図５を参照して、図２に示すステップＳ１０３０でカラーモード設定ウィンドウ２００の「×」ボタン２０６が操作された場合、カラーモード設定ウィンドウ２００は、縮小しながら、右上のほうに、ゆっくりと半透明になって段階的に消去していく。
【００４８】
図６を参照して、カラーモード設定ウィンドウ２００が段階的に消去している動作途中（消去モーション中）に、図３に示すステップＳ１０８０でカラーモード設定ウィンドウ２００の表示位置にタッチがされた場合、カラーモード設定ウィンドウ２００は元の状態に戻り、カラーモードを再設定することが可能な状態となる。
【００４９】
図７を参照して、カラーモード設定ウィンドウ２００が段階的に消去している動作途中に、図３に示すステップＳ１０７０でフリック操作がされた場合、縮小中（消去モーション中）のウィンドウがすぐに消去されて、設定が確定するまでの時間が短縮される。なお、図５〜図７において、図中の矢印は、カラーモード設定ウィンドウ２００の移動方向を示している。
【００５０】
図８を参照して、情報表示装置１００によって実行される、ウィンドウ内において行なった操作の内容を確定する処理の状態遷移について説明する。
【００５１】
ダイアログウィンドウ（対象の画面）が表示されている状態５００では、情報表示装置１００は、ユーザによって、ウィンドウ内で設定が行なわれる（設定内容が選択される）まで待機する。矢印５１０に示されるように、ウィンドウ内で設定が行なわれ、ユーザによって、設定を確定させるための確定指示がなされると（「×」ボタン２０６が操作されると）、消去モーション中の状態５２０に遷移する。
【００５２】
情報表示装置１００は、図３に示すステップＳ１０８０でウィンドウの表示位置へのタッチを検出した場合、矢印５３０に示すように、状態５２０から復帰モーション中の状態５４０に遷移する。情報表示装置１００は、矢印５５０に示されるように、ウィンドウの復帰が完了すると、状態５４０から状態５００に戻る。情報表示装置１００のタッチパネルディスプレイ１１０には、確定指示がなされる前の状態のダイアログウィンドウが表示される。
【００５３】
図３に示すステップＳ１０７０でフリック操作を検出した場合、矢印５６０に示すように、ウィンドウの消去速度及び移動速度がスピードアップされた、消去モーション中の状態５７０に遷移する。矢印５８０に示されるように、ウィンドウの消去が完了（消去モーションが終了）すると、ウィンドウ内において行なった設定操作の内容（設定）を採用する状態５９０に遷移する。状態５９０では、採用した設定（操作内容）を設定内容記憶部１３４に記憶する。採用した設定（操作内容）を記憶すると、この処理は終了する。
【００５４】
消去モーション中の状態５２０において、ウィンドウの表示位置へのタッチ、及び、フリック操作のいずれも検出されずに、矢印６００に示されるように、ウィンドウの消去が完了（消去モーションが終了）すると、ウィンドウ内において行なった設定操作の内容（設定）を採用する状態６１０に遷移する。状態６１０では、採用した設定（操作内容）を設定内容記憶部１３４に記憶する。採用した設定（操作内容）を記憶すると、この処理は終了する。
【００５５】
［動作］
図２〜図７を参照して、以上のような構造及びフローチャートに基づく、本実施の形態に係る情報表示装置１００の動作について説明する。以下では、カラーモードの設定を変更する場合を例にして、情報表示装置１００の動作を説明する。
【００５６】
図４を参照して、ユーザによるウィンドウの表示指示を受付けると、タッチパネルディスプレイ１１０の画面上にカラーモード設定ウィンドウ２００を表示する。カラーモード設定ウィンドウ２００では、ラジオボタン２０２及び２０４を操作することにより、フルカラー又はモノクロのいずれかのカラーモードを選択できる。ラジオボタン２０２又は２０４が操作（図２に示すステップＳ１０１０においてＹＥＳ）されると、情報表示装置１００はラジオボタンの表示を更新する（ステップＳ１０２０）。
【００５７】
図５を参照して、設定を確定させるために、ユーザによって「×」ボタン２０６が操作されると（図２に示すステップＳ１０３０においてＹＥＳ）、設定した内容が確認できるように、カラーモード設定ウィンドウ２００が、縮小しながら、右上のほうにゆっくりと半透明になって段階的に消去していく。
【００５８】
本実施の形態では、「×」ボタン２０６が操作されると、瞬時にカラーモード設定ウィンドウ２００が閉じる（消去する）のではなく、所定の時間をかけて、段階的に消去する。その消去モーションの間、カラーモード設定ウィンドウ２００には、設定した内容が表示される。ユーザは、この内容を目視することによって、自身が設定した内容に間違いがないか確認できる。消去モーションが終了して、カラーモード設定ウィンドウ２００が完全に消去する（ウィンドウが閉じる）と、情報表示装置１００は、ラジオボタンによる選択内容を確定させて、その内容を記憶する（図３に示すステップＳ１１５０）。
【００５９】
図６を参照して、カラーモード設定ウィンドウ２００の消去モーション中に、ウィンドウの表示位置にタッチがされたことを画面タッチ検出部１２２が検出する（図３に示すステップＳ１０８０においてＹＥＳ）と、情報表示装置１００は、カラーモード設定ウィンドウ２００の消去モーションを停止させて、ウィンドウを元の状態に引戻して復帰させる（図３に示すステップＳ１１４０においてＹＥＳ）。カラーモード設定ウィンドウ２００が元の状態に復帰すると、図４に示すように、再度、ウィンドウ内において設定操作を行なうことが可能となる。
【００６０】
図７を参照して、カラーモード設定ウィンドウ２００の消去モーション中に、画面タッチ検出部１２２及びジェスチャー判定部１２４が、ウィンドウの表示位置でのフリック操作を検出する（図３に示すステップＳ１０７０においてＹＥＳ）と、情報表示装置１００は、消去モーション中のカラーモード設定ウィンドウ２００を直ぐに消去する。具体的には、カラーモード設定ウィンドウ２００の消去モーション中に、ユーザが、例えば、ウィンドウを右側にはじくようにフリック操作を行なうと、その操作に応答して、カラーモード設定ウィンドウ２００が右側に素早く移動し、ウィンドウが消去する。
【００６１】
カラーモード設定ウィンドウ２００において設定した内容は、上記のように、「×」ボタン２０６が操作された後、消去モーションが終了することで確定する。そのため、フリック操作が行なわれない場合、設定した内容に間違いがない場合でも、その内容（設定）を確定するまでに時間を要する。一方、フリック操作を行なうことによって、カラーモード設定ウィンドウ２００が消去するまでの時間が短縮されるため、設定した内容はすぐに確定される。
【００６２】
［本実施の形態の効果］
以上の説明から明らかなように、本実施の形態に係る情報表示装置１００を利用することにより、以下に述べる効果を奏する。
【００６３】
タッチパネルディスプレイ１１０の画面上にウィンドウを表示し、そのウィンドウ内において行なわれた設定を確定させる確定指示を受付けると、情報表示装置１００は、ウィンドウを段階的に消去する。ウィンドウの消去モーションが終了すると、ウィンドウ内において行なわれた設定を確定させる。ウィンドウの消去モーションが終了するまでの所定の時間内に、設定操作した内容が確認できるように、ウィンドウが段階的に消去するため、この間に、ユーザはウィンドウ内を目視することによって、ウィンドウ内において行なった設定を確認できる。確定指示を行なった後に、ウィンドウ内において行なった設定に間違いがあることに気付いた場合、ウィンドウの消去モーションの途中（消去モーションが終了するまでの間）に、ユーザがウィンドウの表示位置にタッチすると、情報表示装置１００は、ウィンドウの消去モーションを中止させて、ウィンドウを復帰させる。ウィンドウが復帰すると、ウィンドウ内における設定操作が受付けられる状態となるため、ユーザは、容易に、ウィンドウ内において行なった設定を訂正できる。加えて、訂正を行なう場合に、直感的な操作が可能になる。
【００６４】
情報表示装置１００は、ウィンドウの消去モーションにおいて、消去動作とともに、ウィンドウを移動することによって、ウィンドウ内において行なわれた設定が確定するまでの時間（ウィンドウの消去が完了するまでの時間）を、ユーザに視覚的に認識させることが容易にできる。ユーザは、設定操作の内容（設定）を訂正できる時間的リミットを視覚的に認識できるため、確定指示を行なった後であっても、より容易に、設定を訂正できる。
【００６５】
情報表示装置１００はさらに、ウィンドウの消去モーションにおいて、消去動作とともに、ウィンドウの大きさを段階的に変更することによって、ウィンドウ内において行なわれた設定が確定するまでの時間（ウィンドウの消去が完了するまでの時間）を、ユーザに視覚的に認識させることがより容易にできる。ユーザは、設定操作の内容（設定）を訂正できる時間的リミットを視覚的に認識できるため、確定指示を行なった後であっても、さらに容易に、設定内容を訂正できる。
【００６６】
ユーザによる確定指示を受付けると、情報表示装置１００は、ウィンドウを段階的に消去させる消去モーションを開始し、ウィンドウの消去モーションが終了すると、ウィンドウ内において行なわれた設定を確定する。ウィンドウの消去モーション中に、ユーザによって、当該ウィンドウの表示位置でフリック操作が行なわれると、そのフリック操作に応答して、当該ウィンドウの消去モーションを促進させて（速めて）、ウィンドウ内における当該設定を確定させるまでの時間を短縮する。これにより、ウィンドウ内において行なった設定内容に間違いがない場合は、すぐに、ウィンドウ内において行なった設定を確定できる。
【００６７】
［変形例］
上記実施の形態では、ウィンドウ内において行なった設定を確定させる確定指示を受付けると、ウィンドウの段階的な消去動作とともに、ウィンドウの移動動作及びウィンドウのサイズ縮小動作を行なう例について示したが、本発明はそのような実施の形態には限定されない。例えば、ウィンドウの段階的な消去動作とともに、ウィンドウの移動動作及びウィンドウのサイズ縮小動作のいずれか一方の動作を行なうようにしてもよい。また、ウィンドウの移動動作及びウィンドウのサイズ縮小動作のいずれも行なわず、ウィンドウの段階的な消去動作のみを行なうようにしてもよい。すなわち、情報表示装置を、ウィンドウのフェードアウト動作のみを行なう構成としてもよい。
【００６８】
上記実施の形態では、ウィンドウの段階的な消去動作とともに、ウィンドウを右上方向に移動させる例について示したが、本発明はそのような実施の形態には限定されない。ウィンドウの移動方向は、右上方向以外の方向であってもよい。
【００６９】
上記実施の形態では、ウィンドウが消去するまでの時間を短縮させる操作として、ウィンドウを右方向に移動させる右フリック操作を行なう例について示したが、本発明はそのような実施の形態には限定されない。上記フリック操作は、ウィンドウを右方向以外の方向に移動させるフリック操作であってもよい。
【００７０】
上記実施の形態では、フリック操作によって、ウィンドウが消去するまでの時間を短縮させる例について示したが、本発明はそのような実施の形態には限定されない。フリック操作以外の操作によって、ウィンドウが消去するまでの時間を短縮させるようにしてもよい。例えば、ウィンドウの表示位置を連続して２回たたく操作（ダブルタップ）を行なうことによって、ウィンドウが消去するまでの時間を短縮させるようにしてもよい。
【００７１】
上記実施の形態において、情報表示装置は、装置単体で用いる構成であってもよいし、他の電子機器等に設置して用いる構成であってもよい。例えば、画像形成装置の一種であるＭＦＰ（Ｍｕｌｔｉｆｕｎｃｔｉｏｎ  Ｐｅｒｉｐｈｅｒａｌ、複合機）に設置して、ＭＦＰの操作パネルとして用いる構成とすることができる。
【００７２】
上記実施の形態では、ラジオボタンによって設定を行なうウィンドウを画面上に表示して、そのウィンドウ内においてカラーモードの設定を行なう例について示したが、本発明はそのような実施の形態には限定されない。ウィンドウ内において行なう設定はカラーモード以外であってもよい。また、設定等を行なうための操作は、ラジオボタン以外であってもよい。例えば、ウィンドウ内に表示された、ドロップダウンリスト、チェックボックス及びテキストフィールド等を操作することによって、設定等の操作を行なうような構成とすることもできる。
【００７３】
さらに、ウィンドウ内において行なう操作は、設定操作以外の操作であってもよい。例えば、ウィンドウ内に表示されたテキストフィールドに文字を入力する文字入力操作であってもよい。図９を参照して、ウィンドウ３００は、コマンド入力を行なうためのテキストフィールド３１０と、「×」ボタン２０６とを含む。テキストフィールド３１０内にコマンドが入力された後、「×」ボタン２０６が操作されると、上記実施の形態で示した処理（動作）と同様の処理（動作）が実行される。文字入力の際には、テキストフィールド３１０内に文字を入力するためのキーボード（ソフトキーボード）をタッチパネルディスプレイ１１０の画面上に表示する構成とするのが好ましい。
【００７４】
上記実施の形態では、「×」ボタンの操作による消去モーション時の消去速度（ウィンドウの移動速度）と、ウィンドウの表示位置へのタッチによるウィンドウの復帰モーション時の復帰速度（ウィンドウの移動速度）とを同じにした例について示したが、本発明はそのような実施の形態には限定されない。消去モーション時の消去速度と復帰モーション時の復帰速度とが異なる速度となるようにしてもよい。例えば、消去モーション時の消去速度よりも復帰モーション時の復帰速度の方が速くなるように構成し、ウィンドウの表示位置へのタッチによって、瞬時にウィンドウが復帰するようにしてもよい。
【００７５】
上記実施の形態では、ウィンドウ内の「×」ボタンの操作によって、確定指示が行なわれる例について示したが、本発明はそのような実施の形態には限定されない。例えば、ウィンドウ内に、確定キー又はＯＫキー等の操作内容（設定内容）を確定するためのキーを設け、そのキーが操作されることによって、確定指示が行なわれるようにしてもよい。
【００７６】
上記実施の形態では、ウィンドウ内において行なった操作内容（設定）を記憶部に記憶する例について示したが、本発明はそのような実施の形態には限定されない。ウィンドウ内において行なった操作内容を記憶部に記憶しない構成であってもよい。例えば、ウィンドウ内において行なった操作内容を他の機器に送信等する場合には、送信する操作内容を情報表示装置の記憶部に記憶しないようにしてもよい。
【００７７】
上記実施の形態では、情報表示装置のタッチパネルディスプレイをタッチパネル一体型液晶表示装置から構成した例について示したが、本発明はそのような実施の形態には限定されない。タッチパネルディスプレイを構成する表示部は、液晶表示パネル（液晶ディスプレイ）以外の表示部であってもよい。液晶表示パネル以外の表示部としては、例えば、有機ＥＬ等からなる表示部が挙げられる。また、タッチパネルディスプレイは、表示パネルとタッチパネルとを重ね合わせた構成であってもよいし、これ以外に、例えば、表示部とタッチパネル部とが一体的に形成された構成等であってもよい。タッチパネルディスプレイは、各種方式（例えば、静電容量方式又は抵抗膜方式等）のタッチパネルによって実現されてもよいし、例えば、光センサ液晶によって実現されてもよい。すなわち、タッチパネルディスプレイにおける入力検知の方式は、いずれの方式であってもよい。
【００７８】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内でのすべての変更を含む。
【符号の説明】
【００７９】
１００                情報表示装置
１１０                タッチパネルディスプレイ
１１２                表示部
１１４                タッチパネル部
１２０                制御部
１２２                画面タッチ検出部
１２４                ジェスチャー判定部
１２６                表示位置算出部
１２８                ウィンドウサイズ算出部
１３０                記憶部
１３２                ウィンドウ表示情報記憶部
１３２ａ              ラジオボタン情報記憶部
１３２ｂ              表示サイズ情報記憶部
１３２ｃ              表示位置情報記憶部
１３４                設定内容記憶部
１３４ａ              カラーモード情報記憶部
２００                カラーモード設定ウィンドウ
２０２、２０４        ラジオボタン
２０６                「×」ボタン
【図１】
2013156896.tif 000003
【図２】
2013156896.tif 000004
【図３】
2013156896.tif 000005
【図４】
2013156896.tif 000006
【図５】
2013156896.tif 000007
【図６】
2013156896.tif 000008
【図７】
2013156896.tif 000009
【図８】
2013156896.tif 000010
【図９】
2013156896.tif 000011